(57)【要約】      （修正有）【課題】簡素な構成で、房掛けを用いずに束ねることができるカーテンを提供する。【解決手段】カーテンは、長手方向の一端に設けられた第１の輪状部と他端に設けられた第２の輪状部とを有するタッセル２０と、第１の輪状部及び第２の輪状部が引っ掛けられる引っ掛け部（ボタン１１）を有するカーテン本体１０と、を備える。【選択図】図１
0003199222.tif 000002
【実用新案登録請求の範囲】
【請求項１】
長手方向の一端に設けられた第１の輪状部と長手方向の他端に設けられた第２の輪状部とを有するタッセルと、
前記第１の輪状部及び前記第２の輪状部が引っ掛けられる引っ掛け部を有するカーテン本体と、
を備えることを特徴とするカーテン。
【請求項２】
前記引っ掛け部は、前記カーテン本体に取り付けられたボタンであることを特徴とする請求項１記載のカーテン。
【考案の詳細な説明】
【技術分野】
【０００１】
本考案は、タッセルとカーテン本体とを備えるカーテンに関する。
【背景技術】
【０００２】
従来、例えば布であるカーテン本体を束ねるために、タッセルが用いられている。このタッセルは、両端に設けられた紐からなる輪状部のそれぞれにおいて、壁に設けられた房掛けに引っ掛けられることが多い。しかし、近年、壁に房掛けが設けられていないマンション等が増えている。
【０００３】
壁に房掛けが設けられていない場合に用いられるカーテンとしては、タッセルがカーテン本体の端にスナップボタン又はボタンで取り付けられ、タッセルの両端が面ファスナーによって互いに着脱自在に固定されるカーテンが提案されている（例えば、特許文献１参照）。
【先行技術文献】
【特許文献】
【０００４】
【特許文献１】特開２００７−２３６８９８号公報
【考案の概要】
【考案が解決しようとする課題】
【０００５】
しかしながら、カーテン本体に取り付けられるタッセルの両端が面ファスナーによって互いに固定される上記のカーテンは、カーテン本体に、スナップボタン又はボタンを挿入するための孔が設けられることになる。また、タッセルには、スナップボタン又はボタンが設けられるとともに、面ファスナーが設けられることになる。
【０００６】
このように、カーテン本体に取り付けられるタッセルの両端が面ファスナーによって互いに固定される上記のカーテンは、一般的なカーテン、例えば、孔が設けられていないカーテン本体と、面ファスナーを有さず両端に設けられた輪状部を有するタッセルとを備えるカーテンと比較して、複雑な構成を有する。
【０００７】
本考案の目的は、簡素な構成で、房掛けを用いずにカーテン本体を束ねることができるカーテンを提供することである。
【課題を解決するための手段】
【０００８】
１つの態様では、カーテンは、長手方向の一端に設けられた第１の輪状部と長手方向の他端に設けられた第２の輪状部とを有するタッセルと、前記第１の輪状部及び前記第２の輪状部が引っ掛けられる引っ掛け部を有するカーテン本体と、を備える。
【０００９】
また、前記カーテンにおいて、前記引っ掛け部は、前記カーテン本体に取り付けられたボタンであるとよい。
【考案の効果】
【００１０】
本考案によれば、簡素な構成で、房掛けを用いずにカーテン本体を束ねることができる。
【図面の簡単な説明】
【００１１】
【図１】本考案の一実施の形態に係るカーテンを示す正面図である。
【図２】本考案の一実施の形態における左右一対の２つのカーテン本体を示す正面図である。
【図３】本考案の一実施の形態におけるタッセルを示す正面図である。
【考案を実施するための形態】
【００１２】
以下、本考案の実施の形態に係るカーテンについて、図面を参照しながら説明する。
図１は、本考案の一実施の形態に係るカーテン１を示す正面図である。
図２は、本実施の形態における左右一対の２つのカーテン本体１０，１０を示す正面図である。
【００１３】
図３は、本実施の形態におけるタッセル２０を示す正面図である。
図１に示すカーテン１は、左右一対の２つのカーテン本体１０，１０と、２つのタッセル２０と、を備える。なお、カーテン１が備えるカーテン本体１０の数は、１つであってもよく、１つ以上の数であればよい。また、タッセル２０の数は、カーテン本体１０の数と同数あれば足りるため、カーテン本体１０の数が１つであればタッセル２０の数も１つあればよい。但し、１つのタッセル２０が複数のカーテン本体１０をまとめて束ねるようにしてもよい。
【００１４】
図２に示すように、カーテン本体１０，１０には、引っ掛け部の一例であるボタン１１が取り付けられている。このボタン１１は、例えば円形状を呈する。また、ボタン１１は、例えば縫い付けによってカーテン本体１０に取り付けられている。
【００１５】
ボタン１１がカーテン本体１０に取り付けられる位置は任意であるが、図２の例では、ボタン１１がカーテン本体１０に取り付けられる横方向の位置は、左右一対のカーテン本体１０，１０のうち、左側のカーテン本体１０の左端及び右側のカーテン本体１０の右端である。また、図２の例では、ボタン１１がカーテン本体１０に取り付けられる高さ方向の位置は、中央よりやや上部の位置である。
【００１６】
ボタン１１は、図２の例では、カーテン本体１０の表面側（例えば、窓側とは反対側）に取り付けられているように図示されているが、裏面側（例えば窓側）に取り付けられる場合には、ボタン１１がカーテン本体１０の表面側に露出するのを防ぐことができる。
【００１７】
また、図２の例では、左側のカーテン本体１０に取り付けられたボタン１１は、左側のカーテン本体１０の左端から突出し、右側のカーテン本体１０に取り付けられたボタン１１は、右側のカーテン本体１０の右端から突出する。しかしながら、外観を向上させる観点などから、ボタン１１の全体がカーテン本体１０に重なるように設けることで、ボタン１１が突出しないようにしてもよい。
【００１８】
なお、カーテン本体１０，１０の材質は特に制限されないが、カーテン本体１０のうちボタン１１を除く主要部分の材質は例えば布である。また、引っ掛け部としては、後述するタッセル２０の第１の輪状部２１及び第２の輪状部２２が引っ掛けられるものであれば、ボタン１１に限られない。
【００１９】
図３に示すように、タッセル２０は、長手方向Ｄの一端（図３では左端）に設けられた第１の輪状部２１と、長手方向Ｄの他端（図３では右端）に設けられた第２の輪状部２２とを有する。これら第１の輪状部２１及び第２の輪状部２２は、同一のボタン１１に引っ掛けられる。図３の例では、第２の輪状部２２のみが、想像線である二点鎖線で表されるカーテン本体１０のボタン１１に引っ掛けられている状態が図示されているが、第１の輪状部２１も、カーテン本体１０を巻き込んだ状態で、同一のボタン１１に引っ掛けられることになる。
【００２０】
なお、第１の輪状部２１及び第２の輪状部２２の材質も特に制限されないが、例えば紐である。
以上説明した本実施の形態では、カーテン１は、長手方向Ｄの一端に設けられた第１の輪状部２１と長手方向Ｄの他端に設けられた第２の輪状部２２とを有するタッセル２０と、第１の輪状部２１及び第２の輪状部２２が引っ掛けられる引っ掛け部の一例であるボタン１１を有するカーテン本体１０と、を備える。
【００２１】
そのため、タッセル２０の両端に設けられた第１の輪状部２１及び第２の輪状部２２を、カーテン本体１０を巻き込んだ状態でボタン１１に引っ掛けることで、房掛けを用いずにカーテン本体１０を束ねることができる。また、カーテン本体１０にボタン１１を設けるという簡素な構成で、タッセル２０によってカーテン本体１０を束ねることができる。
【００２２】
よって、本実施の形態によれば、簡素な構成で、房掛けを用いずにカーテン本体１０を束ねることができる。
また、本実施の形態では、第１の輪状部２１及び第２の輪状部２２が引っ掛けられる引っ掛け部の一例が、カーテン本体１０に取り付けられたボタン１１である。
【００２３】
そのため、簡素な構成で、タッセル２０の第１の輪状部２１及び第２の輪状部２２をボタン１１に引っ掛けることができる。
【符号の説明】
【００２４】
１      カーテン
１０      カーテン本体
１１      ボタン
２０      タッセル
２１      第１の輪状部
２２      第２の輪状部
Ｄ      タッセルの長手方向
【図１】
0003199222.tif 000003
【図２】
0003199222.tif 000004
【図３】
0003199222.tif 000005